(57)【特許請求の範囲】
【請求項１】
吸引風を発生させるファンと、前記ファンを回転駆動するモータと、を有する電動送風機と、
イオンを発生させるイオン発生器と、
前記電動送風機に設けられ前記モータを通過する前の吸引風を排出する第１の開口部と、前記電動送風機に設けられ前記モータを通過した後の吸引風を排出する第２の開口部と、電気掃除機本体に設けられ前記電動送風機を内蔵する電動送風機室と、
前記電動送風機の上部を覆う上ケースと、
前記電動送風機の下部を覆う下ケースと、
前記上ケースの上部に設けられ前記第１の開口部から排出された吸引風を排出する第１の排出口と、
前記下ケースの下部に設けられ前記第２の開口部から排出された吸引風を排出する第２の排出口と、
前記電動送風機室の上部に設けられ前記イオン発生器を内蔵するケースと、
前記ケースの一端に設けられ前記第１の排出口と連通する第１の連通口と、
前記ケースの他端に設けられ前記電気掃除機本体に備えた放出口と連通する第２の連通口と、を備え、
前記電動送風機は、前記上ケース及び前記下ケースにより挟持された状態で前記電動送風機室内に配置され、
前記上ケース及び前記下ケースは、前記第１の開口部から排出される吸引風と、前記第２の開口部から排出される吸引風とを仕切るように構成され、
前記第１の開口部から排出された吸引風は、前記上ケースに設けられた前記第１の排出口及び前記ケースに設けられた前記第１の連通口を介して前記ケースの内部へと流入し、前記ケースの内部に配置された前記イオン発生器を通過した後、前記ケースに設けられた前記第２の連通口から前記ケースの外部へと排出され、前記放出口から大気中へと排出されるようにした電気掃除機。
【請求項２】
前記第１の開口部は、複数個設けられている請求項１に記載の電気掃除機。
【請求項３】
前記第１の開口部は、少なくとも前記ファンの外周側に設けられている請求項１または２に記載の電気掃除機。
【請求項４】
前記イオン発生器は、帯電微粒子水を発生させる静電霧化装置である請求項１〜３のうちの何れか１項に記載の電気掃除機。
【発明の詳細な説明】
【技術分野】
【０００１】
本発明は、電気掃除機に関し、特に、イオン発生器を搭載した電気掃除機に関する。
【背景技術】
【０００２】
従来、この種の電気掃除機においては、電動送風機のモータを通過した排気風を利用してイオンを大気中に放出させる構成が提案されている（例えば、特許文献１参照）。
【０００３】
すなわち、図６に示すように、電気掃除機本体２００は、電気掃除機本体２００の後部に配置されており、電動送風機２０１を内蔵した電動送風機室２０２と、電気掃除機本体２００の前部に配置されており、塵埃を捕集する集塵袋（図示せず）を収納する集塵室（図示せず）と、電気掃除機本体２００の後方の上部に配置されたイオン発生器２０３と、から構成されている。また、電気掃除機本体２００の後面には、電動送風機２０１のモータ（図示せず）を通過した排気風を電気掃除機本体２００の外部へと排出させる主排気口２０４と、大気中にイオンを放出させるイオン排出口２０５と、が設けられている。
【０００４】
そして、図６中の矢印で示すように、電動送風機２０１のモータ（図示せず）を通過した排気風は、電気掃除機本体２００の後面に設けられた主排気口２０４から排気されるとともに、その一部が電気掃除機本体２００の後方の上部に設けられたイオン発生器２０３へと導かれるように構成されており、電動送風機２０１のモータ（図示せず）を通過した排気風の一部を利用して、イオン発生器２０３で発生したイオンをイオン排出口２０５から電気掃除機本体２００の外部へと放出させるように構成されている。
【先行技術文献】
【特許文献】
【０００５】
【特許文献１】特開２００８−２１２３８９号公報
【発明の概要】
【発明が解決しようとする課題】
【０００６】
しかしながら、上記従来の電気掃除機においては、イオンを安定して生成するという観点からは未だ改善の余地があった。
【０００７】
すなわち、上記従来の電気掃除機においては、電動送風機のモータを通過した排気風の一部をイオン発生器へと導き、電動送風機のモータを通過した排気風の一部を利用して、イオン発生器で発生したイオンを電気掃除機本体の外部へと放出させるように構成されているが、電動送風機のモータを通過した排気風には、電動送風機のモータで発生したカーボン等の極微細塵が含まれている場合があり、長期間の使用により、カーボン等の極微細塵がイオン発生器に付着し堆積すると、イオン発生器でイオンを安定して生成できなくなる場合があった。
【０００８】
また、電動送風機のモータは発熱部品であるため、電動送風機のモータを通過した排気風は高温となっている。また、集塵室に塵埃が溜まり、吸引風の流れが悪くなると、電動送風機の発熱量が増加し、電動送風機から排気される排気風もさらに高温となる。そのため、電動送風機の排気風によりイオン発生器が加熱され、イオン発生器の温度が上昇し、イオンを安定して生成できなくなる場合があった。
【０００９】
本発明は、上記従来の電気掃除機の有する課題に鑑みてなされたものであり、長期間使用した場合であっても電動送風機のモータで発生したカーボン等の極微細塵の影響を受け
ることがなく、また、電動送風機のモータの発熱によるイオン発生器の温度上昇を防止することができ、イオンを安定して生成することができる電気掃除機を提供することを目的とする。
【課題を解決するための手段】
【００１０】
上記従来の電気掃除機の有する課題を解決するために、本発明は、吸引風を発生させるファンと、前記ファンを回転駆動するモータと、を有する電動送風機と、イオンを発生させるイオン発生器と、前記電動送風機に設けられ前記モータを通過する前の吸引風を排出する第１の開口部と、前記電動送風機に設けられ前記モータを通過した後の吸引風を排出する第２の開口部と、電気掃除機本体に設けられ前記電動送風機を内蔵する電動送風機室と、前記電動送風機の上部を覆う上ケースと、前記電動送風機の下部を覆う下ケースと、前記上ケースの上部に設けられ前記第１の開口部から排出された吸引風を排出する第１の排出口と、前記下ケースの下部に設けられ前記第２の開口部から排出された吸引風を排出する第２の排出口と、前記電動送風機室の上部に設けられ前記イオン発生器を内蔵するケースと、前記ケースの一端に設けられ前記第１の排出口と連通する第１の連通口と、前記ケースの他端に設けられ前記電気掃除機本体に備えた放出口と連通する第２の連通口と、を備え、前記電動送風機は、前記上ケース及び前記下ケースにより挟持された状態で前記電動送風機室内に配置され、前記上ケース及び前記下ケースは、前記第１の開口部から排出される吸引風と、前記第２の開口部から排出される吸引風とを仕切るように構成され、前記第１の開口部から排出された吸引風は、前記上ケースに設けられた前記第１の排出口及び前記ケースに設けられた前記第１の連通口を介して前記ケースの内部へと流入し、前記ケースの内部に配置された前記イオン発生器を通過した後、前記ケースに設けられた前記第２の連通口から前記ケースの外部へと排出され、前記放出口から大気中へと排出されるようにした電気掃除機を提供する。
【００１１】
これにより、第１の開口部から排出される吸引風、すなわち、電動送風機のモータを通過する前の吸引風を利用し、かつ、この吸引風が通る流路をケースによって形成し、このケース内にイオン発生器を配置してイオンを大気中に放出させるため、長時間の使用により電動送風機のモータで発生したカーボン等の極微細塵がイオン発生器に付着し堆積することを防止することができるとともに、電動送風機のモータの発熱によるイオン発生器の
温度上昇を防止することができ、イオンを安定して生成することができる。
また、第１の開口部から排出される吸引風と第２の開口部から排出される吸引風とは、上ケース及び下ケースによって仕切られているため、第２の開口部から排出される、モータを通過し高温でカーボン等の極微細塵が含まれている吸引風が、ケース内に流入することを防止することができる。
【発明の効果】
【００１２】
本発明の電気掃除機によれば、長期間使用した場合であっても電動送風機のモータで発生したカーボン等の極微細塵の影響を受けることがなく、また、電動送風機のモータの発熱によるイオン発生器の温度上昇を防止することができ、イオンを安定して生成することができるようになる。
【図面の簡単な説明】
【００１３】
【図１】本発明の電気掃除機の実施の形態１を示す全体斜視図
【図２】本発明の電気掃除機の実施の形態１における電気掃除機本体を示す断面図
【図３】本発明の電気掃除機の実施の形態１における電気掃除機本体を示す斜視図
【図４】本発明の電気掃除機の実施の形態１における電動送風機を示す部分断面図
【図５】本発明の電気掃除機の参考の形態１における電動送風機を示す部分断面図
【図６】従来の電気掃除機を示す断面図
【発明を実施するための形態】
【００１４】
第１の発明は、吸引風を発生させるファンと、前記ファンを回転駆動するモータと、を有する電動送風機と、イオンを発生させるイオン発生器と、前記電動送風機に設けられ前記モータを通過する前の吸引風を排出する第１の開口部と、前記電動送風機に設けられ前記モータを通過した後の吸引風を排出する第２の開口部と、電気掃除機本体に設けられ前記電動送風機を内蔵する電動送風機室と、前記電動送風機の上部を覆う上ケースと、前記電動送風機の下部を覆う下ケースと、前記上ケースの上部に設けられ前記第１の開口部から排出された吸引風を排出する第１の排出口と、前記下ケースの下部に設けられ前記第２の開口部から排出された吸引風を排出する第２の排出口と、前記電動送風機室の上部に設けられ前記イオン発生器を内蔵するケースと、前記ケースの一端に設けられ前記第１の排出口と連通する第１の連通口と、前記ケースの他端に設けられ前記電気掃除機本体に備えた放出口と連通する第２の連通口と、を備え、前記電動送風機は、前記上ケース及び前記下ケースにより挟持された状態で前記電動送風機室内に配置され、前記上ケース及び前記下ケースは、前記第１の開口部から排出される吸引風と、前記第２の開口部から排出される吸引風とを仕切るように構成され、前記第１の開口部から排出された吸引風は、前記上ケースに設けられた前記第１の排出口及び前記ケースに設けられた前記第１の連通口を介して前記ケースの内部へと流入し、前記ケースの内部に配置された前記イオン発生器を通過した後、前記ケースに設けられた前記第２の連通口から前記ケースの外部へと排出され、前記放出口から大気中へと排出されるようにした電気掃除機としたものである。
【００１５】
これにより、第１の開口部から排出される吸引風、すなわち、電動送風機のモータを通過する前の吸引風を利用し、かつ、この吸引風が通る流路をケースによって形成し、このケース内にイオン発生器を配置してイオンを大気中に放出させるため、長時間の使用によ
り電動送風機のモータで発生したカーボン等の極微細塵がイオン発生器に付着し堆積することを防止することができるとともに、電動送風機のモータの発熱によるイオン発生器の温度上昇を防止することができ、イオンを安定して生成することができる。
また、第１の開口部から排出される吸引風と第２の開口部から排出される吸引風とは、上ケース及び下ケースによって仕切られているため、第２の開口部から排出される、モータを通過し高温でカーボン等の極微細塵が含まれている吸引風が、ケース内に流入することを防止することができる。
【００１８】
第２の発明は、特に第１の発明において、第１の開口部は、複数個設けられている構成としたものである。
【００１９】
これにより、第１の開口部から排出される吸引風をイオン発生器まで効率よく導くことができ、イオン発生器でイオンを安定して生成することができる。
【００２０】
第３の発明は、特に第１または第２の発明において、第１の開口部は、少なくともファンの外周側に設けられている構成としたものである。
【００２１】
これにより、第１の開口部から排出される吸引風をイオン発生器へ導く流路を簡略化することができ、第１の開口部から排出される吸引風を簡単な構成で確実にイオン発生器へ導くことができる。
【００２４】
第４の発明は、特に第１〜第３の発明において、イオン発生器は、帯電微粒子水を発生させる静電霧化装置であるものである。
【００２５】
これにより、室内の浮遊している塵埃に帯電微粒子水を付加することで、室内に浮遊している塵埃を床面へ落下させ、吸込具により捕集することができるとともに、帯電微粒子水により、塵埃の脱臭及び除菌を行うことができ、空気清浄性能を向上させることができる。
【００２６】
以下、図面を参照しながら本発明の電気掃除機の好適な実施の形態について詳細に説明する。なお、以下の説明では、同一または相当部分には同一符号を付し、重複する説明は省略する。
【００２７】
（実施の形態１）
本発明の電気掃除機の実施の形態１について、図１〜３を用いて説明する。
【００２８】
図１は、本発明の電気掃除機の実施の形態１を示す全体斜視図である。また、図２は、本発明の電気掃除機の実施の形態１における電気掃除機本体を示す断面図である。さらに、図３は、本発明の電気掃除機の実施の形態１における電気掃除機本体を示す斜視図である。また、図４は、本発明の電気掃除機の実施の形態１における電動送風機を示す部分断面図である。
【００２９】
図１に示すように、電気掃除機１００は、吸引風を発生させる電動送風機（図示せず）を内蔵する電気掃除機本体１と、被清掃面の塵埃を吸引する吸込具２と、一端が吸込具２に着脱自在に接続される伸縮自在或いは継ぎ自在の延長管３と、一端が延長管３の他端に着脱自在に接続され、他端が電気掃除機本体１の前部に設けられた吸入口１ａに着脱自在に接続されるホース４と、から構成されている。
【００３０】
電気掃除機本体１の後方の両側面には、走行用の車輪５が回転自在に取り付けられてい
る。また、電気掃除機本体１の下面の前部には、走行用のキャスター６が取り付けられている。さらに、電気掃除機本体１の前方の上部には、使用者が電気掃除機本体１を持ち運ぶ際に使用する本体ハンドル７が設けられている。
【００３１】
吸込具２には、被清掃面の塵埃を掻きあげる回転ブラシ８と、回転ブラシ８を回転駆動する駆動モータ９と、が内蔵されている。
【００３２】
ホース４の延長管３側の端部には、使用者が掃除の際に握る把手部１０を有する先端パイプ１１が設けられている。また、ホース４の電気掃除機本体１側の端部には、電気掃除機本体１の吸入口１ａに着脱自在に接続される接続パイプ１２が設けられている。
【００３３】
図２及び図３に示すように、電気掃除機本体１は、電気掃除機本体１の下面を形成する下部材１３と、後述する電動送風機室１８の上面を形成する上部材１４と、後述する集塵室２０の上面及び上部材１４の上面を覆うとともに、電気掃除機本体１の上面を形成する蓋体１５と、電気掃除機本体１の側面を形成するカバー体１６と、から構成されている。また、蓋体１５の後部は、上部材１４に回動自在に軸支されている。さらに、蓋体１５には、後述する静電霧化装置３５で生成された帯電微粒子水が放出される放出口１５ａが設けられている。
【００３４】
電気掃除機本体１の後部には、吸引風を発生させる電動送風機１７を内蔵する電動送風機室１８が設けられている。また、電気掃除機本体１の前部には、塵埃を捕集する集塵袋１９が着脱自在に配置される集塵室２０が設けられている。集塵袋１９は、ポリプロピレン等の熱可塑性繊維で構成されるとともに、エレクトレット加工されており、空気等の摩擦で帯電するように構成されている。
【００３５】
図４に示すように、電動送風機１７は、主として、吸引風を発生させるファン２１と、ファン２１から放出された気流を整流するエアガイド２２と、ファン２１を回転駆動するモータ２３と、ファン２１及びエアガイド２２を内包するファンケース２４と、モータ２３を内包するとともに、ファンケース２４に機密に取り付けられるモータケース２５と、から構成されている。また、ファン２１の外周側に位置するファンケース２４には、電動送風機１７のモータ２３を通過する前の吸引風を排出する第１の開口部２６が設けられている。さらに、モータケース２５には、電動送風機１７のモータ２３を通過した吸引風を排出する第２の開口部２７が設けられている。
【００３６】
図２に示すように、電動送風機１７の外周には、電動送風機１７の上部を覆う上ケース２８と、電動送風機１７の下部を覆う下ケース２９と、が設けられており、電動送風機１７は、上ケース２８及び下ケース２９により挟持された状態で電動送風機室１８内に配置されている。また、電動送風機１７の前部及び後部には、それぞれ、弾性材料から構成されたサポート前３０及びサポート後３１が設けられており、このサポート前３０及びサポート後３１は、上ケース２８及び下ケース２９により挟持されている。
【００３７】
上ケース２８及び下ケース２９は、第１の開口部２６から排出される吸引風と第２の開口部２７から排出される吸引風とを仕切るように構成されている。また、上ケース２８の上部には、第１の開口部２６から排出された吸引風を排出する第１の排出口３２が設けられている。さらに、下ケース２９の下部には、第２の開口部２７から排出された吸引風を排出する第２の排出口３３が設けられている。また、電気掃除機本体１の後部には、第２の排出口３３から排出された吸引風を電気掃除機本体１の外部へと排出する主排気口３４が設けられている。
【００３８】
電動送風機室１８の上部には、帯電微粒子水を生成する静電霧化装置３５を内蔵するケ
ース３６が配置されている。ケース３６には、帯電微粒子水を生成する静電霧化装置３５と、静電霧化装置３５に電源を供給する高電圧装置３７と、が内蔵されており、静電霧化装置３５と高電圧装置３７とは電気的に接続されている。また、ケース３６の一端には、第１の排出口３２と連通する第１の連通口３８が設けられており、ケース３６の他端には、蓋体１５に設けられた放出口１５ａと連通する第２の連通口３９が設けられている。
【００３９】
以上のように構成された電気掃除機について、図１、図２、及び図４を用いて、以下、その動作、作用を説明する。
【００４０】
使用者により電気掃除機１００の運転が開始されると、電動送風機１７のモータ２３が駆動され、ファン２１が回転駆動されるとともに、高電圧装置３７から静電霧化装置３５に電源が供給され、静電霧化装置３５で帯電微粒子水が生成される。
【００４１】
図４中の矢印で示すように、モータ２３によってファン２１が回転駆動されると、電動送風機１７に設けられた吸気口（図示せず）から電動送風機１７の内部に外気が吸気され、電動送風機１７で吸引風が発生する。電動送風機１７で発生した吸引風は、ファン２１の内部を通ってファン２１の外周側からファン２１の外部へと排出される。ファン２１の外部へ排出された吸引風は、エアガイド２２によって整流された後、モータ２３の内部を通過し、モータケース２５に設けられた第２の開口部２７から電動送風機１７の外部へと排出される。このとき、ファン２１の外周側からファン２１の外部へと排出された吸引風のうち、モータ２３を通過する前の吸引風の一部は、ファンケース２４に設けられた第１の開口部２６から電動送風機１７の外部へと排出される。
【００４２】
図２中の矢印Ａで示すように、第２の開口部２７から排出された吸引風は、下ケース２９に設けられた第２の排出口３３から排出される。第２の排出口３３から排出された吸引風は、主排気口３４から電気掃除機本体１の外部へと排出される。
【００４３】
一方、図２中の矢印Ｂで示すように、第１の開口部２６から排出された吸引風は、上ケース２８に設けられた第１の排出口３２及びケース３６に設けられた第１の連通口３８を介してケース３６の内部へと流入する。ケース３６の内部に流入した吸引風は、ケース３６の内部に配置された高電圧装置３７及び静電霧化装置３５を通過した後、静電霧化装置３５で生成された帯電微粒子水とともにケース３６に設けられた第２の連通口３９からケース３６の外部へと排出され、蓋体１５に設けられた放出口１５ａから大気中へと排出される。第１の開口部２６から排出された吸引風とともに電気掃除機本体１の外部へ排出された帯電微粒子水は、主排気口３４から排出された吸引風によって室内に拡散され、大気中に浮遊している浮遊塵埃と結合し、浮遊塵埃を帯電させるとともに、浮遊塵埃を被清掃面へと落下させる。
【００４４】
図１に示すように、被清掃面に落下した浮遊塵埃は、吸込具２の下面に設けられた吸込口（図示せず）から吸引され、延長管３及びホース４を介して、電気掃除機本体１の内部へと流入し、集塵袋１９によって捕集される。
【００４５】
このように、本実施の形態においては、電動送風機１７のモータ２３を通過する前の吸引風を排出する第１の開口部２６から排出される吸引風を利用して、静電霧化装置３５で生成された帯電微粒子水を大気中に放出しているため、長時間の使用により電動送風機１７のモータ２３で発生したカーボン等の極微細塵が静電霧化装置３５に付着し堆積することを防止することができるとともに、電動送風機１７のモータ２３の発熱によって静電霧化装置３５の温度が上昇することを防止することができ、帯電微粒子水を安定して生成することができる。
【００４６】
また、本実施の形態においては、第１の開口部２６から排出される吸引風が通る流路をケース３６によって形成し、このケース３６内に静電霧化装置３５及び高電圧装置３７を配置しているため、長時間の使用により電動送風機１７のモータ２３で発生したカーボン等の極微細塵が静電霧化装置３５及び高電圧装置３７に付着し堆積することを防止することができる。また、第１の開口部２６から排出される吸引風によって静電霧化装置３５及び高電圧装置３７が冷却されるため、電動送風機１７のモータ２３の発熱の影響を受けることなく、静電霧化装置３５及び高電圧装置３７を効率よく冷却することができる。そのため、帯電微粒子水を安定して生成することができる。
【００４７】
さらに、本実施の形態においては、第１の開口部２６から排出される吸引風と第２の開口部２７から排出される吸引風とは、上ケース２８及び下ケース２９によって仕切られているため、第２の開口部２７から排出される吸引風がケース３６内に流入することを防止することができる。そのため、長時間の使用により電動送風機１７のモータ２３で発生したカーボン等の極微細塵が静電霧化装置３５に付着し堆積することを確実に防止することができるとともに、電動送風機１７のモータ２３の発熱の影響を受けることなく、静電霧化装置３５及び高電圧装置３７を効率よく冷却することができ、帯電微粒子水を安定して生成することができる。
【００４８】
また、本実施の形態においては、ファンケース２４のファン２１の外周側に位置する部分に第１の開口部２６を複数個設けているため、第１の開口部２６から排出された吸引風を静電霧化装置３５まで効率よく導くことができるとともに、第１の開口部２６から排出された吸引風を簡単な構成で確実に静電霧化装置３５へと導くことができるため、静電霧化装置３５で帯電微粒子水を効率よく安定して生成することができる。
【００４９】
さらに、静電霧化装置３５によって生成された帯電微粒子水を利用して、大気中に浮遊している浮遊塵埃を帯電させ、吸込具により捕集しているため、帯電微粒子水により、塵埃の脱臭及び除菌を行うことができ、空気清浄性能を向上させることができる。
【００５０】
また、本実施の形態においては、主排気口３４から排出された吸引風によって、放出口１５ａから排出された帯電微粒子水を室内に拡散させているため、帯電微粒子水を効率よく室内に拡散させることができ、室内に浮遊している塵埃を効率よく捕集することができる。
【００５１】
さらに、本実施の形態においては、エレクトレット加工された集塵袋を使用しているため、集塵袋に塵埃が付着しやすくなり空気清浄効果を向上することができる。
【００５２】
（参考の形態１）
本発明の電気掃除機の参考の形態１について、図５を用いて説明する。なお、上述した実施の形態１と同一構成部品については同一符号を付して、その説明を省略する。
【００５３】
図５は、本発明の電気掃除機の参考の形態１における電動送風機を示す部分断面図である。
【００５４】
図５に示すように、電動送風機１７は、吸引風を発生させるファン２１と、ファン２１から放出された気流を整流するエアガイド２２と、ファン２１を回転駆動するモータ２３と、ファン２１及びエアガイド２２を内包するファンケース２４と、モータ２３を内包するとともに、ファンケース２４に機密に取り付けられるモータケース２５と、から構成されている。モータケース２５のファンケース２４側の端部には、モータケース２５から外側に向かって延設された環状平面部４０が設けられている。そして、ファン２１の底面側に位置するモータケース２５の環状平面部４０には、電動送風機１７のモータ２３を通過
する前の吸引風を排出する第１の開口部２６が設けられている。
【００５５】
第１の開口部２６から排出された吸引風は、上述した実施の形態１と同様に、上ケース２８に設けられた第１の排出口３２及びケース３６に設けられた第１の連通口３８を介してケース３６の内部へと流入し、ケース３６の内部に配置された高電圧装置３７及び静電霧化装置３５を通過した後、静電霧化装置３５で生成された帯電微粒子水とともにケース３６に設けられた第２の連通口３９からケース３６の外部へと排出され、蓋体１５に設けられた放出口１５ａから大気中へと排出されるように構成されている。
【００５６】
以上のように、本参考の形態の構成においても、上述した実施の形態１と同様に、電動送風機１７のモータ２３を通過する前の吸引風を排出する第１の開口部２６から排出される吸引風を利用して、静電霧化装置３５で生成された帯電微粒子水を大気中に放出させることができるため、長時間の使用により電動送風機１７のモータ２３で発生したカーボン等の極微細塵が静電霧化装置３５に付着し堆積することを防止することができるとともに、電動送風機１７のモータ２３の発熱によって静電霧化装置３５の温度が上昇することを防止することができ、帯電微粒子水を安定して生成することができる。
【産業上の利用可能性】
【００５７】
本発明の電気掃除機は、長期間使用した場合であっても電動送風機のモータで発生したカーボン等の極微細塵の影響、及び、電動送風機のモータの発熱の影響を受けることがなく、イオンを安定して生成することが可能となるので、家庭用電気掃除機及び産業用電気掃除機の分野・用途に好適に適用することができる。
【符号の説明】
【００５８】
１  電気掃除機本体
１ａ  吸入口
２  吸込具
３  延長管
４  ホース
５  車輪
６  キャスター
７  本体ハンドル
８  回転ブラシ
９  駆動モータ
１０  把手部
１１  先端パイプ
１２  接続パイプ
１３  下部材
１４  上部材
１５  蓋体
１５ａ  放出口
１６  カバー体
１７  電動送風機
１８  電動送風機室
１９  集塵袋
２０  集塵室
２１  ファン
２２  エアガイド
２３  モータ
２４  ファンケース
２５  モータケース
２６  第１の開口部
２７  第２の開口部
２８  上ケース
２９  下ケース
３０  サポート前
３１  サポート後
３２  第１の排出口
３３  第２の排出口
３４  主排気口
３５  静電霧化装置
３６  ケース
３７  高電圧装置
３８  第１の連通口
３９  第２の連通口
４０  環状平面部
１００  電気掃除機
【図１】
0005609456.tif 000002
【図２】
0005609456.tif 000003
【図３】
0005609456.tif 000004
【図４】
0005609456.tif 000005
【図５】
0005609456.tif 000006
【図６】
0005609456.tif 000007